(57)【特許請求の範囲】
【請求項１】
可撓性を有する胴部を有し、その内側を内容物の充填空間とする容器本体と、内容物の吸引管を保持するとともに空気の流入孔を備え、その内側に内容物と空気との合流空間を区画形成するシリンダーと、該容器本体の口部に固定保持され、該シリンダーを該口部に吊り下げ保持するベースキャップと、該ベースキャップに一体連結してその内側に該合流空間につながる排出経路を形成するノズルとを備え、該胴部の圧搾により該合流空間にて内容物と空気とを混合、発泡させて、その内容物を該排出経路を経て該ノズルの先端から外界に噴出させる泡噴出容器であって、
前記シリンダーは、前記容器本体の口部との相互間に前記充填空間につながる環状経路を有し、
前記ベースキャップは、前記排出経路と該環状経路とを連通させて、外気及び該排出経路内の残留内容物を該環状経路内に導入する貫通孔を備え、
該環状経路に、該充填空間に向けて拡径して該排出経路から該貫通孔を通過した残留内容物を前記流入孔から離隔させつつ該充填空間に誘導する傾斜壁を配設してなることを特徴とする泡噴出容器。
【請求項２】
前記傾斜壁は、前記流入孔と同一或いは下方に位置する下端周縁を備えてなる請求項１に記載の泡噴出容器。
【請求項３】
前記傾斜壁は、前記下端周縁から下方に向けて突出し、該下端周縁に沿って間隔をおいて設けられる複数の突起を有する請求項１又は２に記載の泡噴出容器。
【請求項４】
前記傾斜壁は、前記シリンダーの外周壁に向けて突出する凸部を有し、該シリンダーの外周壁に、該凸部に係合する溝部を設け、
前記溝部を、周方向に沿って延在する少なくとも１つの周溝と、該周溝につながる縦溝とで構成してなる請求項１〜３の何れかに記載の泡噴出容器。
【請求項５】
前記傾斜壁の上部に、前記環状経路を区画して、導入した残留内容物の貯留空間を形成する仕切壁を設け、
前記仕切壁に、貯留した残留内容物を該傾斜壁に向けて排出する開口を形成した請求項１〜４の何れかに記載の泡噴出容器。
【発明の詳細な説明】
【技術分野】
【０００１】
本発明は、可撓性の胴部を圧搾することにより、流動性を有する内容物（液状、ゲル状等）を発泡させて排出する泡噴出容器に関するものである。
【背景技術】
【０００２】
シャンプー、ボディソープ、ハンドソープ、洗顔料等の各種液体洗浄剤やセットローション等の整髪剤を内容物とする容器としては、泡立て動作を省略して簡便な利用を図る観点から、内容物の流路内に例えばメッシュ等からなる発泡部材を組み入れておき、可撓性を有する胴部を圧搾することで、内容物と空気とを混合させつつこれらを発泡部材に通過させて発泡させ、泡状になった内容物をノズルの噴出口から排出する泡噴出容器が提案されている（例えば特許文献１参照）。
【０００３】
上記のような泡噴出容器において、泡状となった内容物は、噴出口から排出された分の他、一部がノズルの排出経路内に残ったままとなるが、残留した内容物は、時間が経つと泡が消えて元の流動性を有する内容物に戻るため、使用後しばらくすると噴出口から内容物が垂れ落ちる（液だれ）ことがあった。このことは、特にノズルの側面側に噴出口が設けられている横出しタイプの泡噴出容器において顕著であった。
【０００４】
このような液だれを回避するものとしては、圧搾された胴部を復元させる外気導入孔を内容物の排出経路内に設けておき、胴部の復元に伴って容器本体内に取り込まれる外気とともに残留内容物も容器本体内に引き戻すバックサクション機能を設けた泡噴出容器が知られている。
【先行技術文献】
【特許文献】
【０００５】
【特許文献１】実開昭５８−１７４２７２号公報
【発明の概要】
【発明が解決しようとする課題】
【０００６】
ところで、きめの細かい泡を作るには、発泡部材を通過する、内容物と空気との混合比が重要な要素の１つであり、泡質を一定に維持するには、この混合比を安定的に保つことが必要とされている。しかしながら、上記のようなバックサクション機能を有する泡噴出容器では、胴部の圧搾と復元を繰り返して内容物の排出を続けると、引き戻された残留内容物の泡が容器本体内に充満して、発泡部材に空気を送給する流入孔を塞いでしまうことがあり、空気の流入量の減少や空気への泡の混入等が発生して、内容物と空気との混合比が所期した割合から変わってしまい、泡質が悪くなる（泡のきめが粗くなる）ことがあった。このため、バックサクション機能を備えてもなお、きめの細かい泡を安定的に排出させることができる、新たな泡噴出容器の出現が切に望まれていた。
【０００７】
本発明の課題は、内容物を発泡させて排出させる泡噴出容器に関し、バックサクション機能を備えるとともに、きめの細かい泡を安定的に排出させることができて使い勝手が良い泡噴出容器を提案するところにある。
【課題を解決するための手段】
【０００８】
本発明は、可撓性を有する胴部を有し、その内側を内容物の充填空間とする容器本体と、内容物の吸引管を保持するとともに空気の流入孔を備え、その内側に内容物と空気との合流空間を区画形成するシリンダーと、該容器本体の口部に固定保持され、該シリンダーを該口部に吊り下げ保持するベースキャップと、該ベースキャップに一体連結してその内側に該合流空間につながる排出経路を形成するノズルとを備え、該胴部の圧搾により該合流空間にて内容物と空気とを混合、発泡させて、その内容物を該排出経路を経て該ノズルの先端から外界に噴出させる泡噴出容器であって、
前記シリンダーは、前記容器本体の口部との相互間に前記充填空間につながる環状経路を有し、
前記ベースキャップは、前記排出経路と該環状経路とを連通させて、外気及び該排出経路内の残留内容物を該環状経路内に導入する貫通孔を備え、
該環状経路に、該充填空間に向けて拡径して該排出経路から該貫通孔を通過した残留内容物を前記流入孔から離隔させつつ該充填空間に誘導する傾斜壁を配設してなることを特徴とする泡噴出容器である。
【０００９】
前記傾斜壁は、前記流入孔と同一或いは下方に位置する下端周縁を備えることが望ましい。
【００１０】
前記傾斜壁は、前記下端周縁から下方に向けて突出し、該下端周縁に沿って間隔をおいて設けられる複数の突起を有することが望ましい。
【００１１】
前記傾斜壁は、前記シリンダーの外周壁に向けて突出する凸部を有し、該シリンダーの外周壁に、該凸部に係合する溝部を設け、
前記溝部を、周方向に沿って延在する少なくとも１つの周溝と、該周溝につながる縦溝とで構成することが望ましい。
【００１２】
前記傾斜壁の上部に、前記環状経路を区画して、導入した残留内容物の貯留空間を形成する仕切壁を設け、
前記仕切壁に、貯留した残留内容物を該傾斜壁に向けて排出する開口を形成することが望ましい。
【発明の効果】
【００１３】
容器本体の口部と、この口部に吊り下げ保持されるシリンダーとの相互間に環状経路を設け、ベースキャップに、内容物の排出経路と環状経路とを連通して外気及び排出経路内の残留内容物を環状経路内に導入する貫通孔を形成したので、バックサクション機能を有効に発揮させてノズルの先端開口からの液だれを確実に防止することができる。
また、環状経路に、充填空間に向けて拡径して、貫通孔を通過した残留内容物をシリンダー内に空気を流入させる流入孔から離隔させつつ充填空間に導く傾斜壁を配設したので、泡を含む残留内容物が環状経路から流入孔に直接的に流れ込むおそれが減り、内容物の泡による流入孔の閉塞が発生しにくくなる。これにより、内容物と空気との混合比を所期した割合で維持でき、きめの細かい泡を安定的に排出させることが可能となる。
【００１４】
傾斜壁の下端周縁を、流入孔よりも下方に位置させる場合は、残留内容物が環状経路から流入孔に直接的に流れ込むおそれを確実に低減できるので、所期する泡の内容物を連続して排出できる。
【００１５】
傾斜壁に、その下端周縁より下方に向けて突出するとともに下端周縁に沿って間隔をおいて設けられる複数の突起を形成する場合は、傾斜壁の表面を伝う残留内容物がこの突起でまとまって落下しやすくなるので、内容物の泡による流入孔の閉塞がより発生しにくくなる。
【００１６】
傾斜壁に、シリンダーの外周壁に向けて突出する凸部を設け、その外周壁に凸部を係合させる溝部を形成し、溝部を、周方向に沿って延在する少なくとも１つの周溝と、該周溝につながる縦溝とで構成する場合は、傾斜壁を、バックサクションにより引き込まれる泡の性状（泡の大きさ、泡から液体への戻りやすさ等）に応じて、流入孔が閉塞されにくい最適な高さ（軸線方向位置）に変更することができるので、異なる性質の内容物を用いる場合にも同一部品で対応することが可能となる。
【００１７】
傾斜壁の上部に、環状経路を区画して、導入した残留内容物の貯留空間を形成する仕切壁を設け、この仕切壁に、貯留した残留内容物を傾斜壁に向けて排出する開口を形成する場合は、残留内容物が一旦貯留空間内に留め置かれるためにその泡が消えやすくなり、残留内容物の泡が充填空間内に充満されにくくなるので、この泡による流入孔の閉塞が一層発生しにくくなって、連続して内容物を排出しても泡の質の変化を十分に抑えることができる。
【図面の簡単な説明】
【００１８】
【図１】本発明に従う泡噴出容器の実施の形態を示す、要部の部分断面図である。
【図２】図１に示すＡ−Ａに沿う断面図である。
【図３】図１に示す泡噴出容器につき、傾斜壁を一体連結させた下部シリンダーの斜視図である。
【図４】本発明に従う泡噴出容器の他の実施の形態を示す、要部の部分断面図である。
【図５】本発明に従う泡噴出容器のさらに他の実施の形態を示す、要部の部分断面図である。
【図６】図５に示す泡噴出容器を、一部を断面で示す部分側面図である。
【図７】（ａ）は図６に示すＢ−Ｂに沿う断面図であり、（ｂ）は同図のＣ−Ｃに沿う断面図である。
【発明を実施するための形態】
【００１９】
以下、図面を参照して、本発明をより具体的に説明する。
図１は、本発明に従う泡噴出容器の実施の形態を示す、要部の部分断面図であって、図２は、図１に示すＡ−Ａに沿う断面図であって、図３は、図１に示す泡噴出容器につき、傾斜壁を一体連結させた下部シリンダーの斜視図である。
【００２０】
図１において、符号１０は容器本体である。容器本体１０は、上部を開口させた筒状の口部１１を有し、この口部１１に図示しない底部につながる筒状の胴部１２を連結させて、その内側に内容物の充填空間Ｍを形成している。ここで胴部１２は、例えば合成樹脂等によって形成される可撓性を有するものである。また口部１１の外面壁には、ねじ部１１ａが形成されている。
【００２１】
符号２０は、口部１１に後述するベースキャップにて吊り下げ保持されるシリンダーである。図示の例でシリンダー２０は、シリンダーの底部を形成する底体２１と、シリンダーの外周壁のうち、下方の外周壁を形成する下部シリンダー２２と、上方の外周壁を形成する上部シリンダー２３とを備えている。
【００２２】
底体２１は、円板状の底板２１ａを有し、底板２１ａの中央部には、その表裏を貫く底孔２１ｂが形成されている。底板２１ａの下面には、底孔２１ｂの縁部から垂下される筒状の嵌合部２１ｃが設けられている。嵌合部２１ｃには、胴部１２の圧搾によって充填空間Ｍの内容物を吸引する吸引管ｐが嵌合している。
【００２３】
底板２１ａの上面には、上部筒体２１ｄが起立しており、上部筒体２１ｄの上面にはリング状の段部ｄが設けられている。また、上部筒体２１ｄの半径方向内側には、図２に示すように、周方向に間隔をおいて配設される（図示の例では均等配置で４つ設けている）縦型リブ２１ｅを備えている。ここで、縦型リブ２１ｅの相互間に形成される隙間は、吸引管ｐによって吸引される内容物の流路２１ｆとなっている。また、図１に示すように、底板２１ａにおける上部筒体２１ｄの半径方向外側には、その表裏を貫通する孔（流入孔２１ｇ）が設けられていて、図２に示すように上部筒体２１ｄの外周壁には、流入孔２１ｇを設けた位置に対応して配設される（図示の例では均等配置で４つ設けている）溝状の空気流路２１ｈが形成されている。これにより胴部１２を圧搾すると、充填空間Ｍ内の空気が流入孔２１ｇから空気流路２１ｈを通してシリンダー２０内に導入される。
【００２４】
図１に示すように下部シリンダー２２は、底体２１の上部筒体２１ｄを取り囲む筒状の基部２２ａを備えている。基部２２ａの上部には、その半径方向内側に段部２２ｂが形成されている。図示の例で基部２２ａの半径方向外側には、上方から下方に向かって拡径して円錐状となる傾斜壁２２ｃが設けられていて、この傾斜壁２２ｃを基部２２ａに一体連結している。これにより傾斜壁２２ｃの外表面は、下方に向かって流入孔２１ｇから離隔することとなる。また、傾斜壁２２ｃの下端周縁２２ｄには、図３に示すように、下方に向けて突出するとともに下端周縁２２ｄに沿って間隔をおいて設けられる複数の突起２２ｅを設けてもよい。なお、傾斜壁２２ｃは、下部シリンダー２２とは分離した別の部材とし、これを下部シリンダー２２に取り付けるように構成してもよい。
【００２５】
また、図１に示すように上部シリンダー２３は、筒状となる基部２３ａから環状壁２３ｂを垂下させ、この環状壁２３ｂを段部２２ｂに嵌合させて下部シリンダー２２に保持されている。さらに、上部シリンダー２３の上部には、その半径方向内側に内側段部２３ｃが形成されており、半径方向外側には外側段部２３ｄが設けられている。
【００２６】
ここで、容器本体１０の口部１１には、ベースキャップ３０が設けられている。ベースキャップ３０は、口部１１を覆うドーム型の頂壁３１を有し、この頂壁３１に段部３２を介して一体連結するリング壁３３を備えている。リング壁３３の半径方向外側には、その縁部から垂下される環状の外壁３４が設けられていて、外壁３４の内面には、口部１１のねじ部１１ａに係合するねじ部３４ａが形成されている。またリング壁３３の半径方向内側にはシール壁３５が設けられている。これによりベースキャップ３０は、口部１１を封止して着脱自在に固定保持される。なお図示したところでは、ねじによってベースキャップ３０を固定保持する例を示したが、アンダーカットで固定保持するようにしてもよい。
【００２７】
またベースキャップ３０は、頂壁３１と一体連結し先端側が僅かに上方に向けて傾くノズル３６と、ノズル３６の後端側で頂壁３１及びノズル３６に一体連結する段付きの内側筒部３７とを備えている。そして内側筒部３７に上部シリンダー２３の内側段部２３ｃを嵌合させることで、シリンダー２０を構成する底体２１、下部シリンダー２２、及び上部シリンダー２３は、口部１１に吊り下げ保持される。これにより、シリンダー２０と口部１１との相互間には、上部を頂壁３１で覆われるとともに容器本体１０の充填空間Ｍにつながる環状経路Ｋが区画形成される。一方、底体２１、下部シリンダー２２、上部シリンダー２３、及び内側筒部３７で区画形成される内側空間は、胴部１２の圧搾により流路２１ｆを通して導入される内容物、及び空気流路２１ｈを通して導入される空気を混合、発泡させる合流空間Ｇとなっている。合流空間Ｇには、底体２１の段部ｄ上に配設される中間部材４０と、中間部材４０の上部に位置する発泡部材５０とが配設されている。
【００２８】
中間部材４０は、段部ｄ上に配設される環状のベース４１と、ベース４１の内側にて底体２１の縦型リブ２１ｅの半径方向内側に配設される棒体４２とを備えている。またベース４１と棒体４２との相互間は、周方向に間隔をおいて配置される複数の接続部でつながっていて、それら接続部間の隙間４３を通して、底体２１からの内容物及び空気を発泡部材５０に向けて送出することができる。
【００２９】
図１に示す例で、発泡部材５０は合流空間Ｇ内に軸線方向に間隔をおいて総計２個設けられている。発泡部材５０は、リング５１の端面に設置されたメッシュ５２からなり、空気の混在した内容物をこの発泡部材５０に通過させることにより発泡させて泡状にすることができる。なお、発泡部材５０の設置個数やメッシュ５２の目の粗さ等は内容物の種類に応じて適宜変更される。
【００３０】
発泡部材５０を通過して泡状となった内容物は、ノズル３６に向けて送出される。ここでノズル３６の内側には、合流空間Ｇにつながる排出経路Ｈが形成されていて、内容物は、排出経路Ｈの出口となるノズル３６の先端開口３６ａから外界に向けて噴出される。また、ベースキャップ３０の内側筒部３７には、排出経路Ｈと環状経路Ｋとを連通させる貫通孔３８が設けられている。さらに環状経路Ｋには、上部シリンダー２３の外側段部２３ｄに嵌合保持される逆止弁６０が設けられている。逆止弁６０は、リング６１の外側に弾性変位する環状の弁体６２を備えていて、弁体６２はベースキャップ３０の段部３２の下面と密着している。これにより、充填空間Ｍ側からの空気及び内容物が貫通孔３８からは排出されない一方で、外気等は、貫通孔３８を通して充填空間Ｍ内に導入される。
【００３１】
上記のように構成される泡噴出容器は、胴部１２の圧搾に伴い、逆止弁６０の作用下で充填空間Ｍが加圧され、内容物は、吸引管ｐを通り、底体２１の流路２１ｆを経由して合流空間Ｇに至る。また同じく加圧された空気は、流入孔２１ｇを通り、底体２１の空気流路２１ｈを経由して合流空間Ｇに至る。そして内容物及び空気をともに発泡部材５０に通過させることで所期した泡質に発泡される内容物は、排出経路Ｈを経てノズル３６の先端開口３６ａから噴出される。その後、胴部１２の圧搾を解除すると、可撓性の胴部１２は元の形状に復元する。これにより充填空間Ｍは負圧となるため、排出経路Ｈ内の発泡した残留内容物は、外気とともに貫通孔３８を通り、逆止弁６０の弁体６２を押し下げて環状経路Ｋに導入される。環状経路Ｋには、充填空間Ｍに向けて拡径してその外表面は下方に向かうにつれて流入孔２１ｇから離隔する傾斜壁２２ｃが設けられているので、環状経路Ｋに導入された残留内容物は、流入孔２１ｇに流れ込むことなく、傾斜壁２２ｃの外表面を伝って充填空間Ｍに流れることとなる。これにより、残留内容物の泡で流入孔２１ｇが閉鎖されるおそれが減って、内容物と空気との混合比を所期した割合で維持できることとなり、バックサクション機能を有効に発揮できるとともに、きめの細かい泡を安定的に排出させることが可能となる。
【００３２】
ここで、図１に示すように、傾斜壁２２ｃの下端周縁２２ｄが、流入孔２１ｇと同一或いは下方に位置する場合は、残留内容物が環状経路Ｋから流入孔２１ｇに直接的に流れ込むおそれを確実に低減できるので、所期する泡の内容物を安定的に、しかも連続して排出できる。さらに、図１、図３に示すように、突起２２ｅを設ける場合は、傾斜壁２２ｃの外表面を伝う残留内容物が、傘の露先の如く、この突起２２ｅからまとまって充填空間内に落下しやすくなるので、流入孔２１ｇの閉塞がより発生しにくくなる。また、図３に示すように、突起２２ｅの根元に円弧状の連結部Ｒを設ける場合は、突起２２ｅを補強して強度を高めることができるだけでなく、突起２２ｅの根元幅が広がるので、残留内容物がまとまって落下する突起２２ｅの効果を、より有効に発揮させることができる。
【００３３】
図４は、本発明に従う泡噴出容器の他の実施の形態を示す図であって、図１に示す泡噴出容器に、傾斜壁２２ｃの上部に配設されて環状経路Ｋを区画し、貫通孔３８から導入される残留内容物の貯留空間Ｔを形成する仕切壁７０を設けたものである。図４に示す仕切壁７０は、上部シリンダー２３の外面を取り囲んで保持される内側周壁７１と、ベースキャップ３０のシール壁３５の内面に当接する外側周壁７２とを備え、内側周壁７１及び外側周壁７２の頂部をリング状の上面壁７３で連結したものである。上面壁７３には、その表裏を貫通する開口７４が設けられている。これにより、貫通孔３８から導入される残留内容物は、開口７４から送出されるに当たり、貯留空間Ｔ内に一旦留め置かれることでその泡が消えやすくなるので、残留内容物の泡で充填空間Ｍ内が充満されることが起こりにくくなる。これにより残留内容物の泡による流入孔２１ｇの閉塞が一層発生しにくくなるので、内容物を連続して排出しても泡の質がほとんど変化することがなく、所期する状態が維持される。
【００３４】
図５〜図７は、本発明に従う泡噴出容器のさらに他の実施の形態を示す図であって、上述した図１及び図４に示す泡噴出容器と重複する部位には同一の符号を付して、ここでは説明を省略する。図５に示す泡噴出容器は、図４に示す泡噴出容器を基本形状として、下部シリンダー２２に代えて、下部シリンダー２４を設け、下部シリンダー２２と一体連結させた傾斜壁２２ｃに代えて、下部シリンダー２４と分離して設けられる傾斜部材２５を設けたものである。
【００３５】
下部シリンダー２４は、底体２１の上部筒体２１ｄを取り囲む筒状の基部２４ａを備えるとともに、基部２４ａの上部には、段部２４ｂをその半径方向内側に設けている。これにより下部シリンダー２４は、底体２１及び上部シリンダー２３に保持されてシリンダー２０が構成される。また、シリンダー２０の外周壁の一部をなす基部２４ａの外周壁には、周方向に沿って延在する少なくとも１つの周溝と、この周溝につながる縦溝とで構成する溝部が設けられる。図６及び図７（ａ）、（ｂ）に示す例では、基部２４ａの外周壁に、周方向に略１／４周分延在する周溝２４ｃ、及びこの周溝２４ｃに対して周方向に１／４周分ずれるとともに軸線方向上方に所定量ずれる周溝２４ｄを備え、さらに周溝２４ｃの一端側につながる縦溝２４ｅ、及び周溝２４ｃの他端側と周溝２４ｄの一端側をつなぐ縦溝２４ｆを備えてなる溝部が設けられていて、さらに、この溝部を周方向に対称となる配置で総計２つ設けている。また、周溝２４ｃ及び２４ｄには、半径方向外側に向けて凸となる突出部２４ｇが設けられている。
【００３６】
また、傾斜部材２５は、上方から下方に向かって拡径して円錐状となる傾斜壁２５ａと、基部２４ａの外周壁を取り囲み傾斜壁２５ａの頂部で連結するベース２５ｂと、ベース２５ｂから半径方向内側に向けて突出して下部シリンダー２４の溝部に係合する円板状の凸部２５ｃ（図示の例では、周方向に対称となる配置で総計２つ設けている）とを備えている。なお、図５及び図６に示す傾斜部材２５において、上述した傾斜壁２２ｃの下端周縁２２ｄに対応する部位として下端周縁２５ｄが設けられ、突起２２ｅに対応する部位として突起２５ｅが設けられている。
【００３７】
ここで、図５に示す、傾斜部材２５の凸部２５ｃを下部シリンダー２４の周溝２４ｄに係合させた傾斜壁２５ａの上段姿勢から、傾斜部材２５を下部シリンダー２４に対して相対的に回転させて、凸部２５ｃを縦溝２４ｆに適合させることで、傾斜壁２５ａの中段姿勢に変位させることができる。さらに同方向に傾斜部材２５を回転させて凸部２５ｃを縦溝２４ｅに適合させることで、図６に示す傾斜壁２５ａの下段姿勢に変位させることができる。これにより、泡の性状が異なる内容物を用いる場合にも、流入孔２１ｇが閉塞されにくい最適な高さに傾斜壁２５ａを変位させることができる。なお、周溝２４ｃ及び２４ｄ内に設けた突出部２４ｇが傾斜部材２５の回転ストッパーとして作用するので、傾斜部材２５の不用意な回転を阻止して、意図しない傾斜壁２５ａの高さの変化を確実に防止することができる。
【産業上の利用可能性】
【００３８】
本発明によれば、バックサクション機能を備えるとともに、きめの細かい泡を安定的に排出させることができて使い勝手の良い泡噴出容器を提供できる。
【符号の説明】
【００３９】
１０  容器本体
１１  口部
１２  胴部
２０  シリンダー
２１  底体
２１ｇ  流入孔
２２  下部シリンダー
２２ｃ  傾斜壁
２２ｄ  下端周縁
２２ｅ  突起
２３  上部シリンダー
２４  下部シリンダー
２４ｃ  周溝
２４ｄ  周溝
２４ｅ  縦溝
２４ｆ  縦溝
２５  傾斜部材
２５ａ  傾斜壁
２５ｃ  凸部
２５ｄ  下端周縁
２５ｅ  突起
３０  ベースキャップ
３６  ノズル
３８  貫通孔
７０  仕切壁
７４  開口
ｐ  吸引管
Ｍ  充填空間
Ｇ  合流空間
Ｈ  排出経路
Ｋ  環状経路
Ｔ  貯留空間
【図１】
0005710402.tif 000002
【図２】
0005710402.tif 000003
【図３】
0005710402.tif 000004
【図４】
0005710402.tif 000005
【図５】
0005710402.tif 000006
【図６】
0005710402.tif 000007
【図７】
0005710402.tif 000008